(57)【要約】【課題】  テレビ受信装置に接続された撮影装置の消費電力を低減する。【解決手段】  ユーザの操作により、テレビ受信装置に表示される映像が撮影装置からの映像から他の映像へ切り換ったことを検出し、映像が切り換った時点からの経過時間が予め設定された時間に達すると、撮影装置の電源供給を停止させるための制御信号を撮影装置に出力する。【選択図】  図１
2008288691.tif 000002
【特許請求の範囲】
【請求項１】
バッテリ駆動可能な撮影装置と接続可能であるとともに、放送信号を受信して、前記放送信号にもとづく映像を表示手段に表示させるテレビ受信装置であって、
前記撮影装置から映像データを入力する通信手段と、
前記撮影装置が接続された状態で、前記表示手段で表示している映像が前記撮影装置からの映像データにもとづく映像であるか否かを判定し、判定結果にもとづいて前記撮影装置の電源供給状態を制御する制御手段とを有することを特徴とするテレビ受信装置。
【請求項２】
バッテリ駆動可能な撮影装置と接続可能であるとともに、放送信号を受信して、前記放送信号にもとづく映像を表示手段に表示させるテレビ受信装置であって、
前記撮影装置から映像データを入力する通信手段と、
ユーザの操作により、表示される映像が前記撮影装置からの映像データにもとづく映像から他の映像へ切り換ったことを検出し、
映像が切り換った時点からの経過時間を計測する状態遷移時間計測手段と、
前記経過時間が予め設定された時間に達すると、前記撮影装置の電源供給を停止させるための制御信号を前記撮影装置に出力するように前記通信手段を制御する制御手段とを有することを特徴とするテレビ受信装置。
【請求項３】
テレビ受信装置と接続可能な撮影装置であって、
前記テレビ受信装置は、
ユーザの操作により、表示される映像が前記撮影装置からの映像データにもとづく映像から他の映像へ切り換ったことを検出し、
映像が切り換った時点からの経過時間を計測する状態遷移時間計測手段と、
前記経過時間が予め設定された時間に達すると、前記撮影装置の電源供給を停止する制御信号を前記撮影装置に出力するように第１の通信手段を制御する第１の制御手段を有しており、
前記撮影装置は、
撮影した映像を前記映像データとして保存する記録手段と、
前記記録手段から読み出した前記映像データを前記テレビ受信装置に出力し、前記制御信号を入力する第２の通信手段と、
前記制御信号にもとづき、前記電源供給を停止する第２の制御手段とを有することを特徴とする撮影装置。
【請求項４】
前記他の映像は、電子番組表またはデータ放送の映像以外の前記放送信号にもとづく映像であることを特徴とする請求項２記載のテレビ受信装置。
【請求項５】
前記制御手段は、前記経過時間が予め設定された時間に達すると、前記撮影装置のステイタス情報と、前記撮影装置が出力している映像の映像識別情報とを、前記撮影装置から取得し、メモリに保存することを特徴とする請求項２記載のテレビ受信装置。
【請求項６】
前記状態遷移時間計測手段が、ユーザの操作により、表示される映像が前記他の映像から前記撮影装置からの映像データにもとづく映像へ切り換ったことを検出した場合に、
前記制御手段は、前記ステイタス情報、映像識別情報、及び前記撮影装置の電源供給を再開させるための前記制御信号を前記撮影装置に送信するように前記通信手段を制御することを特徴とする請求項５記載のテレビ受信装置。
【請求項７】
バッテリ駆動可能な撮影装置と接続可能であるとともに、放送信号を受信して、前記放送信号にもとづく映像を表示手段に表示させるテレビ受信装置の制御方法であって、
前記撮影装置から映像データを入力するステップと、
前記撮影装置が接続された状態で、前記表示手段で表示している映像が前記撮影装置からの映像データにもとづく映像であるか否かを判定し、判定結果にもとづいて前記撮影装置の電源供給状態を制御するステップとを有することを特徴とするテレビ受信装置の制御方法。
【発明の詳細な説明】
【技術分野】
【０００１】
本発明は、テレビ受信装置及び撮影装置に関し、特にテレビ受信装置にバッテリ駆動される撮影装置が接続された場合の電源制御に関する。
【背景技術】
【０００２】
従来、デジタルスチルカメラやデジタルビデオカメラ等の撮影装置で記録された映像を、テレビ受信装置で視聴することが知られている。
【０００３】
撮影装置は、バッテリ駆動される場合が多いので、テレビ受信装置での撮影装置からの映像の視聴の際にも、低消費電力となる動作が望まれる。
【０００４】
下記特許文献１には、ユーザが映像を見ることができない状態のときに、表示部への電源供給を停止し、映像を見ることができる状態になると電源供給を再開する映像表示装置が開示されている。
【特許文献１】特開２００６−２１１４２１号公報
【発明の開示】
【発明が解決しようとする課題】
【０００５】
上記特許文献１に記載されている映像表示装置は、本体に配置されたセンサによりユーザの使用状態を検出するものである。従って、撮影装置で記録された映像を、テレビ受信装置で視聴するような視聴形態において、撮影装置の使用状態を検出する場合には特許文献１に記載の方法は適用しにくい。
【０００６】
本発明は、撮影装置で記録された映像を、テレビ受信装置で視聴するような視聴形態においても、ユーザの使用状態を適切に検出し、撮影装置のバッテリ消耗を防ぐことを目的とする。
【課題を解決するための手段】
【０００７】
本発明のテレビ受信装置は、バッテリ駆動可能な撮影装置と接続可能であるとともに、放送信号を受信して、前記放送信号にもとづく映像を表示手段に表示させるテレビ受信装置であって、
前記撮影装置から映像データを入力する通信手段と、
前記撮影装置が接続された状態で、前記表示手段で表示している映像が前記撮影装置からの映像データにもとづく映像であるか否かを判定し、判定結果にもとづいて前記撮影装置の電源供給状態を制御する制御部とを有することを特徴とする。
【発明の効果】
【０００８】
本発明によれば、予め設定された条件にもとづき、テレビ受信装置が、接続された撮影装置が使用されていない状態になったと判断して、撮影装置に電源供給停止の命令を発行することにより、撮影装置のバッテリ消耗を防ぐことができる。
【発明を実施するための最良の形態】
【０００９】
図１は、テレビ受信装置としてのデジタルテレビ（ＤＴＶ）１０１と、撮影装置としてのデジタルスチルカメラ（ＤＳＣ）１０２のそれぞれの構成を示すブロック図である。本発明は、撮影装置としてはバッテリ駆動可能なデジタルビデオカメラでも適用可能である。
【００１０】
デジタル放送信号は、アンテナ１０３から入力される。チューナー／選局部１０４は、所望のチャンネルを受信し、トランスポートストリーム（ＴＳ）を出力する。ＴＳにはビデオやオーディオ、字幕等のデータパケットの他に、ＰＳＩ（Ｐｒｏｇｒａｍ  Ｓｐｅｃｉｆｉｃ  Ｉｎｆｏｒｍａｔｉｏｎ）やＳＩ（Ｓｅｒｖｉｃｅ  Ｉｎｆｏｒｍａｔｉｏｎ）の情報パケットが含まれている。制御部１０９（第１の制御手段）は、それぞれのパケットのヘッダ部にあるパケット識別子（ＰＩＤ）に基づいて、ＴＳパケットを、ビデオパケット、オーディオパケット、データパケット、ＰＳＩ及びＳＩパケットに分離する。
【００１１】
各パケットはデコード部１０５でそれぞれデコード処理され、映像データ、音声データ、情報データ等が生成される。映像データは表示部１０６に送られ、放送規格に則ってアルファブレンドを含めた合成処理がなされ、映像として表示される。
【００１２】
状態遷移時間計測部１０７（状態遷移時間制御手段）は、ＤＴＶ１０１の内部動作を監視している。即ち、表示部で表示されている映像のＤＳＣ１０２から送信されている映像と他の映像との間での切り換りを検出し、切り換りが検出された場合にはその切り換った時点からの経過時間をカウントする。
【００１３】
リモコン受信部１０８はリモコン信号を受信し、制御部１０９で解析され、リモコン信号に対応した動作が行われる。
【００１４】
通信部１１０（第１の通信手段）は、接続可能なＤＳＣ１０２の通信部１１１（第２の通信手段）とＵＳＢケーブルで接続され、データ通信を行う。このときのケーブルとしてはＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）に対応したケーブルでも良いし、無線ＬＡＮなどのインターフェイスに対応した通信経路でも良い。
【００１５】
ＤＳＣ１０２の制御部１１４（第２の制御手段）は、ＤＴＶ１０１からの要求に従って、撮影した映像の映像データをＤＴＶ１０１に出力するように通信部１１１を制御する。
【００１６】
ＤＳＣ１０２で撮影された映像の映像データはエンコード／デコード部１１２でエンコードされて記録部１１３に映像符号化データとして保存される。
【００１７】
制御部１１４は、記録部１１３から読み出した映像符号データをエンコード／デコード部１１２でデコード処理し映像データを生成するように記録部１１３及びエンコード／デコード部１１２をそれぞれ制御する。
【００１８】
また、制御部１１４は、電源部１１５にスリープ／ウェイクアップ信号を出力することで、ＤＳＣ１０２のリジューム処理を行う。
【実施例１】
【００１９】
図２のフローチャートに従って、ＤＴＶ１０１が、ＤＳＣ１０２にサスペンド命令を発行する手順について説明する。
【００２０】
ＤＴＶ１０１の表示部１０６でＤＳＣ１０２の映像データにもとづく映像を視聴している状態で、ユーザによるリモコン等の操作により表示されている映像が他の映像へ切り換ったときには状態遷移時間＝０としてサスペンド発行フロー処理を行う（ステップ２０１）。
【００２１】
このとき、ＤＴＶ１０１は、ＤＳＣ１０２が映像データ送信状態であることを示すステイタス情報と、現在、ＤＳＣ１０２が出力している映像データの映像識別情報を、ＤＳＣ１０２から取得して制御部内のメモリに保存する（ステップ２０２）。映像識別情報は、出力映像が動画か静止画かを示す情報と、静止画の場合は画像ファイル情報、動画の場合には画像ファイル情報と現フレーム情報が含まれる。ユーザが放送番組を視聴している場合には、ＤＳＣ１０２からの映像を視聴していないと判定される。但し、電子番組表（ＥＰＧ）やデータ放送を視聴している場合には、ユーザが一時的にデジタル放送信号の情報取得を行っており、再度ＤＳＣ１０２からの映像視聴に戻る可能性があると判定される（ステップ２０３）。即ち、ＤＳＣ１０２からの映像を視聴していないと判定されるのは、電子番組表またはデータ放送の映像以外の放送信号にもとづく映像を視聴している場合である。
【００２２】
ユーザがＤＳＣ１０２からの映像視聴を行っていないと判定された場合には、状態遷移時間のカウントを開始し（ステップ２０４）、予め設定された時間（Ｔｔ秒）に達するまで監視される（ステップ２０５）。ここで、監視を行う時間Ｔｔ秒は、ユーザの視聴習慣等を考慮して、１秒から１０秒が好適である。
【００２３】
放送番組視聴に視聴状態が遷移してＴｔ秒経過後、ＤＴＶ１０１は、ユーザがＤＳＣ１０２を使用していないと判断して、サスペンド命令発行処理を行う。
【００２４】
ＤＴＶ１０１とＤＳＣ１０２の接続時に取得されるベンダＩＤ、製品ＩＤから、接続されているＤＳＣ１０２がサスペンド処理できる機種であるかを判定する（ステップ２０６）。サスペンド処理に対応していない機種の場合は、ＵＳＢモジュールを終了させる処理を行う（ステップ２１０）。
【００２５】
接続されているＤＳＣ１０２がサスペンド処理に対応している場合には、ＤＴＶ１０１の制御部１０９はサスペンド命令を発行する（ステップ２０７）。
【００２６】
サスペンド命令が発行されると、通信部１１０は、ＤＳＣ１０２の電源供給を停止させるための制御信号をＤＳＣ１０２に送信する。
【００２７】
即ち、制御部１０９は、表示部１０６で表示している映像がＤＳＣ１０２からの映像データにもとづく映像であるか否かを判定し、その判定結果にもとづいてＤＳＣ１０２の電源供給状態を制御する。
【００２８】
制御信号の受信により、ＤＳＣ１０２の制御部１１４は、電源部１１５にスリープ信号を出力し、電源供給が停止される。
【００２９】
サスペンド命令発行後には、ＤＴＶ１０１はＵＳＢバスへの情報パケット送出を止めてＵＳＢモジュールをスリープ状態にする（ステップ２０８）。
【００３０】
更にスリープ状態で一定時間経過した場合には（ステップ２０９）、ＵＳＢモジュールそのものを終了させる（ステップ２１０）。
【００３１】
次に、スリープ状態にあるＤＳＣ１０２のリジューム処理について図３で説明する。
スリープ状態のＤＳＣ１０２がＤＴＶ１０１との接続を解除されておらず、ユーザの操作によりＤＴＶ１０１がＤＳＣ１０２からの映像視聴に状態遷移する場合、リジューム処理に移る（ステップ３０１）。
【００３２】
ＤＴＶ１０１の制御部１０９は、ウェイクアップ命令を発行する（ステップ３０２）。
ウェイクアップ命令が発行されると、通信部１１０は、ＤＳＣ１０２の電源供給を再開させるための制御信号をＤＳＣ１０２に送信する。
【００３３】
ＤＳＣ１０２がウェイクアップ命令を受けて起動した場合（ステップ３０３）、制御部１０９は、スリープ処理直前のＤＳＣ１０２のステイタス情報と、視聴していた映像データの映像識別情報とをＤＳＣ１０２に送信する（ステップ３０４）。
【００３４】
ＤＳＣ１０２は、ステイタス情報と映像識別情報とを受け取り、スリープ処理を行う直前の状態に復帰する。
【００３５】
即ち、制御信号の受信により、制御部１１４は、電源部１１５にウェイクアップ信号を出力することで、電源部１１５の動作が再開される。
【００３６】
ＤＳＣ１０２がウェイクアップ命令を受けて起動できなかった場合、ＤＴＶ１０２は“デジタルカメラの電源を入れてください”等のエラーメッセージを表示し、ユーザに操作を提示する（ステップ３０５）。
【００３７】
以上のように、ユーザがＤＳＣ１０２を使用しているのか否かを判定し、使用していない場合には電源消耗を防ぐ処理を行う。また、使用を再開した場合にはリジューム処理を行う。
【実施例２】
【００３８】
図４のフローチャートを用いてＤＳＣ１０２の映像を視聴している状態で、視聴アプリ（ビューワ）が終了した時の動作を説明する。
【００３９】
実施例１と同様に、ＤＴＶ１０１とＤＳＣ１０２がＵＳＢケーブルで接続され、ＤＳＣ１０２からの映像を視聴している状態（ステップ４０１）で、リモコン等の操作によりビューワが終了した時にはサスペンド発行フロー処理を行う（ステップ４０２）。
【図面の簡単な説明】
【００４０】
【図１】本発明にかかるデジタルテレビとデジタルスチルカメラの構成を示すブロック図である。
【図２】実施例１で示した、デジタルテレビからデジタルスチルカメラのサスペンド処理をする手順を説明するためのフローチャートである。
【図３】実施例１で示した、デジタルテレビからデジタルスチルカメラのリジューム処理をする手順を説明するためのフローチャートである。
【図４】実施例２で示した、デジタルテレビからデジタルスチルカメラのサスペンド処理をする手順を説明するためのフローチャートである。
【符号の説明】
【００４１】
１０１  デジタルテレビ
１０２  デジタルスチルカメラ
１０３  アンテナ
１０４  チューナー／選局部
１０５  デコード部
１０６  表示部
１０７  状態遷移時間計測部
１０８  リモコン受信部
１０９  デジタルテレビ制御部
１１０  デジタルテレビ通信部
１１１  デジタルスチルカメラ通信部
１１２  エンコード／デコード部
１１３  記録部
１１４  デジタルスチルカメラ制御部
１１５  電源部
【図１】
2008288691.tif 000003
【図２】
2008288691.tif 000004
【図３】
2008288691.tif 000005
【図４】
2008288691.tif 000006